(57)【要約】【課題】  疑似線香を用いて電気的に出光する線香立て装置において、仏壇に線香をあげることの実感を得ること。【解決手段】  線香差し１０と線香立て２０の組からなる線香立て装置１００であって、線香差し１０は、光ファイバ２からなる疑似線香１を取り出し可能に収容し、線香立て２０は、容器２１内に設けた光源３３を線香起立具４０により覆い、線香起立具４０が備える多数の貫通孔に挿し入れた疑似線香１の下端を光源３３に臨ませ、該疑似線香１の上端から出光可能にしたもの。【選択図】  図１
0003127667.tif 000002
【実用新案登録請求の範囲】
【請求項１】
線香差しと線香立ての組からなる線香立て装置であって、
線香差しは、光ファイバからなる疑似線香を取り出し可能に収容し、
線香立ては、容器内に設けた光源を線香起立具により覆い、線香起立具が備える多数の貫通孔に挿し入れた疑似線香の下端を光源に臨ませ、該疑似線香の上端から出光可能にし、
疑似線香の出光使用時には、線香差しから取り出した疑似線香を線香立ての線香起立具が備える貫通孔のいずれかに挿し入れ可能にし、当該疑似線香の出光不用時には、上記線香起立具から引抜いた疑似線香を線香差しに戻して再収容可能にする線香立て装置。
【請求項２】
前記線香立てが、容器の開口を灰に模した閉塞体で塞ぎ、閉塞体の中央孔に線香起立具を嵌合してなる請求項１に記載の線香立て装置。
【請求項３】
前記線香立てが、スイッチを介して電源に接続される光源を備える請求項１又は２に記載の線香立て装置。
【請求項４】
前記線香立ての線香起立具が、太径管の内径部に、多数本の細径管を互いに圧密に装填し、各細径管の貫通孔のそれぞれに各１本の疑似線香を挿し入れ可能にする請求項１〜３のいずれかに記載の線香立て装置。
【請求項５】
前記疑似線香が、光ファイバの上端寄り周面を除く外周に線香の色をした中空管を被着し、該光ファイバの上端寄り周面に乱反射面を形成してなる請求項１〜４のいずれかに記載の線香立て装置。
【考案の詳細な説明】
【技術分野】
【０００１】
本考案は線香立て装置に関する。
【背景技術】
【０００２】
疑似線香立てとして、特許文献１に記載の如く、不透明の容器内１にスイッチ２を介して電源３と接続して発光する光源４を収容し、前記容器１の上部開口部１ａを隔板６で塞ぎ、この隔板６に明けた孔７に線香を模した光ファイバ９を前記光源４に下端８を対向させて挿着してなるものがある。線香に模した光ファイバの下端から赤色系の光を入光させ上端から出光させることで恰も線香がついているかの如き視覚的雰囲気をかもし出すことができるとともに、火気がなく煙を発生しないので火災発生の危険性がなく、煤煙などで室内や周辺を汚染したり異臭を発したりすることがない。
【特許文献１】実開平5-23983
【考案の開示】
【考案が解決しようとする課題】
【０００３】
特許文献１に記載の疑似線香立ては、容器の上部開口部を塞いだ隔板の孔に線香を模した光ファイバを挿着して作られるものであり（特許文献１の[0017]〜[0022]）、該光ファイバは隔板の孔に固定化された状態で使用に供される。使用に当って、使用者はスイッチをオンするだけである（特許文献１の[0023]〜[0024]）。
【０００４】
即ち、特許文献１に記載の疑似線香立てでは、線香立てに既に固定化されている光ファイバに、スイッチのオンによる光源の光を入光させるに過ぎない。使用者は、線香立てから線香を取り出し、これを線香立てに立てるという通常の線香立て動作を全く伴なうことがなく、仏壇に線香をあげることの実感が極めて乏しい。
【０００５】
本考案の課題は、疑似線香を用いて電気的に出光する線香立て装置において、仏壇に線香をあげることの実感を得ることができるようにすることにある。
【課題を解決するための手段】
【０００６】
請求項１の考案は、線香差しと線香立ての組からなる線香立て装置であって、線香差しは、光ファイバからなる疑似線香を取り出し可能に収容し、線香立ては、容器内に設けた光源を線香起立具により覆い、線香起立具が備える多数の貫通孔に挿し入れた疑似線香の下端を光源に臨ませ、該疑似線香の上端から出光可能にし、疑似線香の出光使用時には、線香差しから取り出した疑似線香を線香立ての線香起立具が備える貫通孔のいずれかに挿し入れ可能にし、当該疑似線香の出光不用時には、上記線香起立具から引抜いた疑似線香を線香差しに戻して再収容可能にするようにしたものである。
【０００７】
請求項２の考案は、請求項１の考案において更に、前記線香立てが、容器の開口を灰に模した閉塞体で塞ぎ、閉塞体の中央孔に線香起立具を嵌合してなるようにしたものである。
【０００８】
請求項３の考案は、請求項１又は２の考案において更に、前記線香立てが、スイッチを介して電源に接続される光源を備えるようにしたものである。
【０００９】
請求項４の考案は、請求項１〜３のいずれかの考案において更に、前記線香立ての線香起立具が、太径管の内径部に、多数本の細径管を互いに圧密に装填し、各細径管の貫通孔のそれぞれに各１本の疑似線香を挿し入れ可能にするようにしたものである。
【００１０】
請求項５の考案は、請求項１〜４のいずれかに記載の考案において更に、前記疑似線香が、光ファイバの上端寄り周面を除く外周に線香の色をした中空管を被着し、該光ファイバの上端寄り周面に乱反射面を形成してなるようにしたものである。
【考案の効果】
【００１１】
（請求項１）
(a)線香立て装置は、線香差しと線香立ての組からなり、疑似線香の出光使用時には、線香差しから取り出した疑似線香を線香立ての線香起立具が備える貫通孔のいずれかに挿し入れ可能にし、当該疑似線香の出光不用時には、上記線香起立具から引抜いた疑似線香を線香差しに戻して再収容可能にする。使用者は、疑似線香を用いながら、線香差しから線香を取り出し、これを線香立てに立てるという通常の線香立て動作を伴ない、仏壇に線香をあげることの実感を得ることができる。
【００１２】
(b)上述(a)の出光使用時に、使用者は、線香立ての線香起立具が備える多数の貫通孔のうちの、任意のいずれかに疑似線香を挿し入れるものであり、疑似線香を特定の孔以外には挿し入れできない線香立てを用いる場合に比して、仏壇に線香をあげることの実感を一層向上できる。
【００１３】
（請求項２）
(c)線香立てが、容器の開口を灰に模した閉塞体で塞ぎ、閉塞体の中央孔に線香起立具を嵌合してなるものとすることにより、線香立ての視覚的雰囲気を向上できる。
【００１４】
（請求項３）
(d)線香立てが、スイッチを介して電源に接続される光源を備えるものとすることにより、線香立ての使い勝手を向上できる。
【００１５】
（請求項４）
(e)線香立ての線香起立具に多数の貫通孔を設けるに際し、多数本の細径管を太径管の内径部に単に圧密に装填するものであり、ドリルを用いた深孔加工を伴なう等に比して、線香起立具を極めて簡易に製作できる。
【００１６】
（請求項５）
(f)疑似線香が、光ファイバの上端寄り周面を除く外周に線香の色をした中空管を被着し、該光ファイバの上端寄り周面に乱反射面を形成することにより、光ファイバの下端から光源の光を入光させ、上端面と上端寄り周面だけから出光させることができ、線香が着火した如くの視覚的雰囲気を向上できる。
【考案を実施するための最良の形態】
【００１７】
図１は線香立て装置を示す断面図、図２は線香起立具を示し、（Ａ）は断面図、（Ｂ）は端面図、図３は疑似線香を示す断面図である。
【実施例】
【００１８】
線香立て装置１００は、図１に示す如く、線香差し１０と線香立て２０の組により構成され、使用者は、線香差し１０から疑似線香１を取り出し、これを線香立て２０に立てる。
【００１９】
線香差し１０は、陶磁器、プラスチック、木質材等からなり、複数本の疑似線香１を取り出し可能に収容する。疑似線香１は、図３に示す如く、光ファイバ２の上端寄り周面を除く外周に、線香の色（深緑色、黒色等)をしたポリエチレン・ジャケット等の中空管３を被着し、該光ファイバ２の上端寄り周面を粗面化加工する等により乱反射面２Ａを形成して構成される。
【００２０】
線香立て２０は、陶磁器、プラスチック、木質材等からなる容器２１内に設けた光源ユニット３０を線香起立具４０により覆い、線香起立具４０が備える多数の貫通孔に挿し入れた疑似線香１の下端を光源ユニット３０に臨ませ、光源ユニット３０の光を疑似線香１の上端から出光可能にする。
【００２１】
光源ユニット３０は、容器２１の底部に載置され、スイッチ３１を介して電源３２に接続される光源３３を備える。電源３２は乾電池を採用できる。光源３３は電球、ＬＥＤ（発光ダイオード）を採用できる。スイッチ３１は容器２１の外から操作できるものとしても良い。
【００２２】
光源ユニット３０は、光源３３の上部に赤色光フィルタ３４を付帯させることができる。赤色光フィルタ３４は、赤い透明プラスチック板やガラス板からなり、光源３３から発する光を赤色にする。光源３３として、赤色ランプや赤色ＬＥＤを用いるときには、赤色光フィルタは不用になる。
【００２３】
線香起立具４０は、図２に示す如く、太径金属管からなる太径管４１の内径部に、多数本の細径金属管からなる細径管４２を互いに圧密に装填し、各細径管４２の軸方向に細長い貫通孔のそれぞれに各１本の疑似線香１を挿し入れ可能にする。
【００２４】
線香起立具４０において、太径管４１は円管、角管、異形管を採用でき、細径管４２は円管を採用できる。そして、太径管４１は、例えば外径20〜40mm（本実施例では30mm）、肉厚0.8〜1.2ｍｍ（本実施例では1mm）のステンレス鋼管を採用できる。また、細径管４２は、例えば外径2.2〜2.4mm（本実施例では2.2mm）、肉厚0.1〜0.2mm（本実施例では0.1mm）のステンレス鋼管を採用できる。このとき、細径管４２の内径は１本の疑似線香１の外径、例えば2mmより若干大きくし、疑似線香１をスムースに挿し入れできるようにする。また、細径管４２の軸方向の長さは細径管４２の内径の10倍〜20倍（本実施例では15倍）にし、細径管４２に軸方向に細長い貫通孔を形成し、疑似線香１を安定的に起立保持できるようにする。
【００２５】
線香起立具４０は例えば以下の手順で製造できる。
(1)１本の長尺太径管４１の内径部に多数本の長尺細径管４２を装填し、太径管４１を引抜加工して伸管する。これにより、太径管４１の内径部に多数本の細径管４２が互いに圧密に装填されたものになる。
【００２６】
(2)上述(1)の引抜加工された太径管４１を、線香起立具４０を構成することとなる長さに切断し、その切断端面のバリを除去し、線香起立具４０を得る。
【００２７】
尚、線香起立具４０は以下の手順でも製造できる。
(1)１本の長尺太径管４１の内径部に、多数本の長尺細径管４２を圧入する。これにより、太径管４１の内径部に多数本の細径管４２が互いに圧密に装填されたものになる。
【００２８】
(2)上述(1)の引抜加工された太径管４１を、線香起立具４０を構成することとなる長さに切断し、その切断端面のバリを除去し、線香起立具４０を得る。
【００２９】
線香立て２０は、容器２１の開口を灰に模した閉塞体５０で塞ぎ、閉塞体５０の中央孔に線香起立具４０を嵌合する。本実施例の閉塞体５０は、灰色スポンジ体等からなり、光源ユニット３０を載置してある容器２１に嵌合されて光源ユニット３０を上から押圧保持する。線香起立具４０は閉塞体５０の中央孔に嵌合され、光源ユニット３０の上面（赤色光フィルタ３４）に下端面を載置され、上端面を閉塞体５０の上に突き出す。閉塞体５０は、香木、多孔質コルク板に香料を含浸させたもの等であっても良い。
【００３０】
従って、線香立て２０は以下の手順で組立てられる。
(1)容器２１の底部に光源ユニット３０を載置する。
【００３１】
(2)容器２１の開口に閉塞体５０を嵌合し、閉塞体５０により光源ユニット３０を上から押圧保持する。
(3)閉塞体５０の中央孔に線香起立具４０を嵌合する。
【００３２】
そして、線香立て装置１００は以下の如くに用いられる。
(1)疑似線香１の出光使用時には、まず、線香立て２０の容器２１内にある光源ユニット３０の光源３３を点灯する。本実施例では、線香立て２０を一旦分解して取り出される光源ユニット３０のスイッチ３１をオンすることにて光源３３を点灯した後、線香立て２０を再組立てする。
【００３３】
(2)線香差し１０から１本の疑似線香１を取り出し、この疑似線香１を線香起立具４０のいずれかの細径管４２の貫通孔に挿し入れる。これにより、光源３３の赤色光フィルタ３４を通った赤色系の光が疑似線香１の下端から入光してその上端から出光し、線香が着火している如くの状況が作り出される。火気がなく煙もないから、火災の危険がないし、煙の害もない。
【００３４】
(3)疑似線香１の出光不用時には、線香立て２０の線香起立具４０から引抜いた疑似線香１を線香差し１０に戻して再収容する。長期不使用時には、光源ユニット３０の光源３３を消灯する。
【００３５】
本実施例によれば以下の作用効果を奏する。
(a)線香立て装置１００は、線香差し１０と線香立て２０の組からなり、疑似線香１の出光使用時には、線香差し１０から取り出した疑似線香１を線香立て２０の線香起立具４０が備える貫通孔のいずれかに挿し入れ可能にし、当該疑似線香１の出光不用時には、上記線香起立具４０から引抜いた疑似線香１を線香差し１０に戻して再収容可能にする。使用者は、疑似線香１を用いながら、線香差し１０から線香を取り出し、これを線香立て２０に立てるという通常の線香立て動作を伴ない、仏壇に線香をあげることの実感を得ることができる。
【００３６】
(b)上述(a)の出光使用時に、使用者は、線香立て２０の線香起立具４０が備える多数の貫通孔のうちの、任意のいずれかに疑似線香１を挿し入れるものであり、疑似線香１を特定の孔以外には挿し入れできない線香立て２０を用いる場合に比して、仏壇に線香をあげることの実感を一層向上できる。
【００３７】
(c)線香立て２０が、容器２１の開口を灰に模した閉塞体５０で塞ぎ、閉塞体５０の中央孔に線香起立具４０を嵌合してなるものとすることにより、線香立て２０の視覚的雰囲気を向上できる。
【００３８】
(d)線香立て２０が、スイッチ３１を介して電源３２に接続される光源３３を備えるものとすることにより、線香たての使い勝手を向上できる。
【００３９】
(e)線香立て２０の線香起立具４０に多数の貫通孔を設けるに際し、多数本の細径管４２を太径管４１の内径部に単に圧密に装填するものであり、ドリルを用いた深孔加工をともなう等に比して、線香起立具４０を極めて簡易に製作できる。
【００４０】
(f)疑似線香１が、光ファイバ２の上端寄り周面を除く外周に線香の色をした中空管３を被着し、該光ファイバ２の上端寄り周面に乱反射面２Ａを形成することにより、光ファイバ２の下端から光源３３の光を入光させ、上端面と上端寄り周面だけから出光させることができ、線香が着火した如くの視覚的雰囲気を向上できる。
【００４１】
尚、線香起立具４０は金属製であることを必須としない。また、線香起立具４０は太径管４１と細径管４２からなるものに限らず、金属又はプラスチック等からなるブロックにドリルを用いる等により多数の貫通孔を穿設したものであっても良い。
【図面の簡単な説明】
【００４２】
【図１】図１は線香立て装置を示す断面図である。
【図２】図２は線香起立具を示し、（Ａ）は断面図、（Ｂ）は端面図である。
【図３】図３は疑似線香を示す断面図である。
【符号の説明】
【００４３】
１  疑似線香
２  光ファイバ
２Ａ  乱反射面
３  中空管
１０  線香差し
２０  線香立て
２１  容器
３０  光源ユニット
３１  スイッチ
３２  電源
３３  光源
４０  線香起立具
４１  太径管
４２  細径管
５０  閉塞体
１００  線香立て装置
【図１】
0003127667.tif 000003
【図２】
0003127667.tif 000004
【図３】
0003127667.tif 000005